(57)【特許請求の範囲】
【請求項１】
湯と水とを混合して混合水を生成するミキシングバルブと、
前記混合水を、人体局部に向けて噴射して洗浄を行うノズルと、
前記ミキシングバルブの上流側に設けられ、前記ミキシングバルブに供給される前記水の圧力を調整する水側調圧弁と、
前記ミキシングバルブの上流側に設けられ、前記ミキシングバルブに供給される前記湯の圧力を調整する湯側調圧弁と、
前記ミキシングバルブの下流側に設けられた安全弁と、
前記混合水の流路であって、
前記安全弁の下流側に設けられた第１分岐部と、
前記第１分岐部から分岐し前記ノズルへ前記混合水を導くノズル側水路と、
前記第１分岐部から分岐し前記混合水を外部へ排出する第１捨水路と、
を含む流路と、
を備え、
前記第１捨水路は、ボウルを有する便器の上に設けられ、前記便器の後方側に位置し、
前記混合水は、前記便器の後方へ向かって、前記第１捨水路から前記ボウルに排出され、
前記第１捨水路は、屈曲部を有する整流区間を有し、
前記整流区間は、前記屈曲部において前記混合水を整流することを特徴とする衛生洗浄装置。
【請求項２】
前記安全弁の下流側に設けられ、前記混合水から機能水を生成する電解槽をさらに備えたことを特徴とする請求項１記載の衛生洗浄装置。
【請求項３】
前記整流区間は、前記第１捨水路の下流側の端部に設けられ、前記便器の後方に向かって下方に傾斜することを特徴とする請求項１または２に記載の衛生洗浄装置。
【請求項４】
前記ミキシングバルブへの前記水の供給を制御する電磁弁と、前記ミキシングバルブへの前記湯の供給を制御する電磁弁と、を含む複数の電磁弁と、
便座を温める便座ヒータと、
前記衛生洗浄装置の消費電力が、前記複数の電磁弁における最大消費電力と前記便座ヒータにおける最大消費電力との和より低くなるように、前記複数の電磁弁の動作及び前記便座ヒータの動作を制御する制御部と、
をさらに備えたことを特徴とする請求項１〜３のいずれか１つに記載の衛生洗浄装置。
【発明の詳細な説明】
【技術分野】
【０００１】
本発明の態様は、一般的に、衛生洗浄装置に関する。
【背景技術】
【０００２】
トイレに設置される衛生洗浄装置は、ノズルから洗浄水を使用者の局部に噴射して、局部を洗浄する。このとき、噴射される洗浄水の温度が低すぎると、使用者が不快に感じることがある。そこで、衛生洗浄装置には、局部洗浄時に適度な温度の温水を噴射することが望まれる。
【０００３】
温水を供給する方法として、多数のトイレが設置される設備においては、例えば、セントラル給湯方式と呼ばれる給湯の方式が採用される。セントラル給湯方式においては、１ヶ所に設置された加熱装置によって水が熱され、湯が生成される。生成された湯は、配管等によって各トイレ室へ導かれる。また、湯とは別に、常温の水が水道管等の配管によって各トイレ室へ導かれる。このとき、衛生洗浄装置には、ミキシングバルブ（湯水混合弁）が用いられる。ミキシングバルブは、湯と常温の水とを混合して温水（混合水）を生成する。これにより、局部洗浄において、適度な温度の温水を噴射することが可能となる。
【０００４】
例えば特許文献１には、水と湯がサーモバルブにて混合される衛生洗浄装置の構成が開示されている。特許文献１に開示された衛生洗浄装置では、サーモバルブの下流側に逃がし弁付き減圧弁が設けられている。
【先行技術文献】
【特許文献】
【０００５】
【特許文献１】実用新案登録第２５９６１５７号公報
【発明の概要】
【発明が解決しようとする課題】
【０００６】
特許文献１のように、圧力を調整する減圧弁をサーモバルブの下流側に設けた場合、サーモバルブに供給される湯の圧力およびサーモバルブに供給される水の圧力を、所定の圧力に調整することができない。これにより、サーモバルブよりも下流側に供給される混合水の温度が変化し、温度安定性が低下してしまうことがある。
【０００７】
本発明は、かかる課題の認識に基づいてなされたものであり、湯と水とが別々に供給される場合において、適度な温度の温水を安定的に供給できる衛生洗浄装置を提供することを目的とする。
【課題を解決するための手段】
【０００８】
第１の発明は、湯と水とを混合した混合水を生成するミキシングバルブと、前記混合水を、人体局部に向けて噴射して洗浄を行うノズルと、前記ミキシングバルブの上流側に設けられ、前記ミキシングバルブに供給される前記水の圧力を調整する水側調圧弁と、前記ミキシングバルブの上流側に設けられ、前記ミキシングバルブに供給される前記湯の圧力を調整する湯側調圧弁と、前記ミキシングバルブの下流側に設けられた安全弁と、前記混合水の流路であって、前記安全弁の下流側に設けられた第１分岐部と、前記第１分岐部から分岐し前記ノズルへ前記混合水を導くノズル側水路と、前記第１分岐部から分岐し前記混合水を外部へ排出する第１捨水路と、を含む流路と、を備え、前記第１捨水路は、ボウルを有する便器の上に設けられ、前記便器の後方側に位置し、前記混合水は、前記便器の後方へ向かって、前記第１捨水路から前記ボウルに排出され、前記第１捨水路は、屈曲部を有する整流区間を有し、前記整流区間は、前記屈曲部において前記混合水を整流することを特徴とする衛生洗浄装置である。
【０００９】
この衛生洗浄装置によれば、ミキシングバルブ３０の上流側に水側調圧弁１７及び湯側調圧弁２７が設けられるため、ミキシングバルブ３０における給湯圧及び給水圧のそれぞれが、想定した圧力からずれることを抑制することができる。これにより、混合水の温度が設定温度からずれることを抑制し、温度安定性を向上させることができる。  
また、ミキシングバルブ３０の下流側に安全弁が設けられているため、例えば、湯側調圧弁に不具合が生じても、湯が想定外の部分から外部に流出することを防ぐことができる。また、安全弁よりも下流側に位置する部材を保護することができる。安全弁は、ミキシングバルブよりも下流、かつ、第１分岐部よりも上流に設けられているため、安全弁の数を１つとし、部材の数を抑えることができる。また、この衛生洗浄装置によれば、混合水が第１捨水路からボウルに排出される際に、混合水は、便器の後方に向かって流れる。これにより、第１捨水路から排出された混合水がボウル内の封水の上に勢いよく落ちることを防ぎ、便器の外側まで水が跳ねることを抑制することができる。
【００１０】
第２の発明は、第１の発明において、前記安全弁の下流側に設けられ、前記混合水から機能水を生成する電解槽をさらに備えたことを特徴とする衛生洗浄装置である。
【００１１】
この衛生洗浄装置によれば、電解槽は、湯側調圧弁、水側調圧弁、ミキシングバルブ及び安全弁の下流に設けられている。これにより、電解槽で生成された機能水がミキシングバルブにおいて薄められることがなく、機能水を効率良くノズル側へ供給することができる。
【００１４】
第３の発明は、第１または２の発明において、前記整流区間は、前記第１捨水路の下流側の端部に設けられ、前記便器の後方に向かって下方に傾斜することを特徴とする衛生洗浄装置である。
【００１５】
この衛生洗浄装置によれば第１捨水路の下流側の端部に設けられた整流区間によって、ボウルに排出される混合水の流れる方向が制御される。これにより、混合水がボウルに排出される際に、便器の後方へ向かって流れやすくなり、水跳ねをより抑制することができる。
【００１６】
第４の発明は、第１〜３のいずれか１つの発明において、前記ミキシングバルブへの前記水の供給を制御する電磁弁と、前記ミキシングバルブへの前記湯の供給を制御する電磁弁と、を含む複数の電磁弁と、便座を温める便座ヒータと、前記衛生洗浄装置の消費電力が、前記複数の電磁弁における最大消費電力と前記便座ヒータにおける最大消費電力との和より低くなるように、前記複数の電磁弁の動作及び前記便座ヒータの動作を制御する制御部と、をさらに備えたことを特徴とする衛生洗浄装置である。
【００１７】
この衛生洗浄装置によれば、制御部は、衛生洗浄装置の消費電力が低くなるように、複数の電磁弁の動作や便座ヒータの動作などを、制御する。これにより、限られた電力内でも快適に衛生洗浄装置の機能を使用することができる。また、消費電力が制限されることによって、安全性をさらに高めることができる。
【発明の効果】
【００１８】
本発明の態様によれば、湯と水とが別々に供給される場合において、適度な温度の温水を安定的に供給できる衛生洗浄装置を提供することができる。
【図面の簡単な説明】
【００１９】
【図１】本発明の実施の形態にかかる衛生洗浄装置を備えたトイレ装置を表す斜視図である。
【図２】実施形態に係る衛生洗浄装置の内部を例示する平面図である。
【図３】実施形態に係る衛生洗浄装置における水路を例示するブロック図である。
【図４】実施形態に係る衛生洗浄装置の機能水生成部に用いられる電解槽を例示する図である。
【図５】実施形態に係る衛生洗浄装置のミキシングバルブを例示する断面図である。
【図６】図６（ａ）及び図６（ｂ）は、実施形態に係る衛生洗浄装置の一部を例示する平面図及び断面図である。
【図７】図７（ａ）〜図７（ｄ）は、実施形態に係る排水部材を例示する斜視図及び断面図である。
【図８】実施形態に係る衛生洗浄装置の便座を例示する平面図である。
【図９】実施形態に係る衛生洗浄装置を例示する回路図である。
【図１０】実施形態に係る衛生洗浄装置の制御部の動作を例示するフローチャートである。
【図１１】実施形態に係る別の衛生洗浄装置の水路を例示するブロック図である。
【図１２】実施形態に係る別の衛生洗浄装置を例示する回路図である。
【図１３】実施形態に係る別の衛生洗浄装置の制御部の動作を例示するフローチャートである。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視図である。  
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２１】
ここで、本願明細書においては、便座２００に座った使用者からみて上方を「上方」とし、便座２００に座った使用者からみて下方を「下方」とする。また、開いた状態の便蓋３００に背を向けて便座２００に座った使用者からみて前方を「前方」とし、便座２００に座った使用者からみて後方を「後方」とする。また、便座２００に座った使用者からみて右側を「右側方」とし、便座２００に座った使用者からみて左側を「左側方」とする。
【００２２】
ケーシング４００の内部には、便座２００に座った使用者の「おしり」などの洗浄を実現する局部洗浄機能部などが内蔵されている。また、例えばケーシング４００には、トイレ室への使用者の入室を検知する入室検知センサ４０２（人体検知手段）、便座２００の前方にいる使用者を検知する人体検知センサ４０３（人体検知手段）、便座２００への使用者の着座を検知する着座検知センサ４０４（人体検知手段）が設けられている。
【００２３】
着座検知センサ４０４が便座２００に座った使用者を検知している場合において、使用者が例えばリモコンなどの操作部５００を操作すると、ノズル４７３（洗浄ノズル）を便器８００のボウル８０１内に進出させることができる。なお、図１に表した衛生洗浄装置１００では、ノズル４７３がボウル８０１内に進出した状態を表している。ノズル４７３の進退は、モータによる駆動力などの任意の手段によって行われる。
【００２４】
ノズル４７３の先端部には、ひとつあるいは複数の吐水口４７４が設けられている。そして、ノズル４７３は、その先端部に設けられた吐水口４７４から水や温水を噴射して、便座２００に座った使用者の「おしり」などを洗浄することができる。
【００２５】
なお、着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００２６】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００２７】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００２８】
また、ケーシング４００には、便座２００を温める「便座ヒータ」や、便座２００に座った使用者の「おしり」などに向けて温風を吹き付けて乾燥させる「温風乾燥機能」や、「脱臭ユニット」や「室内暖房ユニット」などの各種の機構が適宜設けられていてもよい。例えば、脱臭ユニット４８１は、電解水などが含浸されたフィルター及び脱臭ファン４８２を有する（図２参照）。トイレ室内の臭気は、脱臭ファン４８２の動作によって、ケーシング４００内に吸引され、フィルターを通過する。これにより、悪臭成分が電解水によって吸収又は分解される。この際、ケーシング４００の側面又は背面には、脱臭ユニットからの排気口及び室内暖房ユニットからの排出口が適宜設けられる。ただし、実施形態においては、便座ヒータ、温風乾燥機能、脱臭ユニット及び室温暖房ユニットなどは、必ずしも設けられなくてもよい。
【００２９】
図２は、実施形態に係る衛生洗浄装置の内部を例示する平面図である。  
図２は、ケーシング４００に内蔵されている局部洗浄機能部を表す。衛生洗浄装置１００は、給水管９１と、給湯管９２と、給水接続部１０と、給湯接続部２０と、水側バルブユニット１５と、湯側バルブユニット２５と、ミキシングバルブ３０と、安全弁部４０と、切替部５０（切替弁ユニット）と、オートクリーンユニット６０（機能水生成部６１）と、ノズル部４７０と、制御部４８０と、脱臭ユニット４８１と、を含む。これらは、ケーシング４００のケースプレート４０１上に配置されている。ケースプレート４０１は、略水平方向に延在する皿状又は板状である。ケースプレート４０１は、適宜、排水等のために水平方向に対して傾斜した部分を有していてもよい。なお、図２では、便宜上、ケーシング４００内の一部の要素を省略している。
【００３０】
制御部４８０は、ＩＣ素子などを含む制御回路（マイコン）である。制御部４８０によって、水側バルブユニット１５、湯側バルブユニット２５、ノズル部４７０及び脱臭ユニット４８１（脱臭ファン４８２）等に含まれる電磁弁やモータなどの動作が制御される。また、制御部４８０は、人体検知手段、便座ヒータ、オートクリーンユニット６０などの動作を制御する。
【００３１】
図３は、実施形態に係る衛生洗浄装置における水路を例示するブロック図である。  
給水管９１は、水側配管部１４を介して、水道や貯水タンクなどの給水源（図示せず）と接続される。水側配管部１４は、ストレーナ１１と、ストレーナ１１の下流側に設けられた逆止弁１２と、逆止弁１２の下流側に設けられた止水弁１３と、を有する。給水管９１の下流側の端は、給水接続部１０に接続される。これにより、給水管９１は、衛生洗浄装置１００に水を供給する。給水接続部１０の下流側には、水側バルブユニット１５が設けられる。水側バルブユニット１５は、給水電磁弁１６と、その下流側の水側調圧弁１７と、を有する。水側バルブユニット１５の下流側には、ミキシングバルブ３０が設けられる。給水電磁弁１６の開閉によって、ミキシングバルブ３０へ水が供給される状態と、水の供給が停止された状態と、を切り替えることができる。水側調圧弁１７は、例えば、シリンダ内に設けられバネ等によって付勢された弁（ピストン）を有する。シリンダ内に流入する水の圧力とバネ等による付勢力とに応じて、弁の開度が変化する。これにより、水側調圧弁１７は、ミキシングバルブ３０へ供給される水の圧力を調整する。
【００３２】
一方、給湯管９２は、湯側配管部２４を介して、加熱装置などの給湯源（図示せず）と接続される。湯側配管部２４は、ストレーナ２１と、ストレーナ２１の下流側に設けられた逆止弁２２と、逆止弁２２の下流側に設けられた止水栓２３と、を有する。給湯管９２の下流側の端は、給湯接続部２０に接続される。これにより、給湯接続部２０は、衛生洗浄装置１００に加熱された湯を供給する。給湯接続部２０の下流側には、湯側バルブユニット２５が設けられる。湯側バルブユニット２５は、給湯電磁弁２６と、その下流側の湯側調圧弁２７と、を有する。湯側バルブユニット２５の下流側にミキシングバルブ３０が設けられる。給湯電磁弁２６の開閉によって、ミキシングバルブ３０へ湯が供給される状態と、湯の供給が停止された状態と、を切り替えることができる。湯側調圧弁２７は、例えば、シリンダ内に設けられバネ等によって付勢された弁（ピストン）を有する。シリンダ内に流入する湯の圧力とバネ等による付勢力とに応じて、弁の開度が変化する。これにより、湯側調圧弁２７は、ミキシングバルブ３０へ供給される湯の圧力を調整する。
【００３３】
ミキシングバルブ３０は、供給された湯と水とを混合して混合水を生成する。これにより、適度な温度の温水（混合水）を、下流側へ供給することができ、ノズル４７３から噴射することができる。なお、本願明細書において、「温水」とは、給水管から供給された水と、給湯管から供給された湯と、が任意の割合で混合された混合水をいう。特に言及しない場合、温水の温度は限定されない。
【００３４】
この例では、ミキシングバルブ３０には、温度検知手段が設けられる。これにより、ミキシングバルブ３０は、温水の温度を自動で調整することができる。例えば、ミキシングバルブ３０は、温度検知手段としてワックスエレメントを用いたワックス式温度調整弁である。なお、実施形態において、ミキシングバルブ３０には、ワックス式温度調整弁に限らず、任意の湯水混合弁を用いることができる。例えば、温度検知手段としてバイメタルや任意の温度センサを用いることができる。
【００３５】
ミキシングバルブ３０の下流側には、安全弁部４０が設けられる。安全弁部４０は、サーミスタ４１と安全弁４２を有する。安全弁４２は、例えば、シリンダ内に設けられバネ等によって付勢された弁（ピストン）を有する。シリンダ内に流入する温水の圧力が所定値よりも高くなると、弁が開き、図２及び図３に表した矢印Ａ４のように温水は、ケースプレート４０１側へ導かれる。これにより温水は、ケースプレート４０１の前方に設けられた開口から外部（例えばボウル８０１）へ排水される。
【００３６】
衛生洗浄装置１００が有する温水の流路１１０は、ミキシングバルブ３０及び安全弁部４０の下流側に設けられた第１分岐部５１と、ノズル側水路５５と、第１捨水路８１と、を含む。ノズル側水路５５及び第１捨水路８１は、それぞれ、第１分岐部５１の下流側に設けられ、第１分岐部５１から分岐している。
【００３７】
第１分岐部５１には、切替部５０（切替弁ユニット）が設けられている。切替部５０は、電磁弁１５０を含む。これにより、第１分岐部５１は、ミキシングバルブ３０から供給された温水の流路を切り替える。すなわち、電磁弁１５０のＯＮ／ＯＦＦによって、温水がノズル側水路５５へ流れる状態と、温水が第１捨水路８１へ流れる状態と、が切り替えられる。温水は、ノズル側水路５５及び第１捨水路８１の双方に同時に流れなくてよい。
【００３８】
第１捨水路８１には、負圧破壊装置１５３が設けられている。第１捨水路８１へ流れた温水は、図２及び図３に表した矢印Ａ５のように、ケースプレート４０１側へ導かれ、ケースプレート４０１の前方に設けられた開口から外部（例えばボウル８０１）へ捨てられる。
【００３９】
例えば、使用者が衛生洗浄装置１００を使用するときに、着座検知センサ４０４の出力に応じて、水側バルブユニット１５及び湯側バルブユニット２５が開かれる。このとき、湯や温水の流路、及び、その流路内に残留した温水が冷えていることがある。また、ミキシングバルブ３０に所定量以上の水及び湯を流すことにより、ミキシングバルブ３０は、温水の温度を調整することができる。このため、使用者の使用開始直後においては、ミキシングバルブ３０から供給される温水の温度が使用者にとって低い場合がある。そこで、衛生洗浄装置１００は、人体の着座検知の後に、所定量の温水を第１捨水路８１へ捨てる。例えば、ミキシングバルブ３０において、温水が適度な温度となるまで、第１捨水路８１へ温水が流される。
【００４０】
その後、例えば、使用者が局部洗浄を行う際に操作部５００を操作することで、電磁弁１５０によって流路が切り替えられる。これにより温水は、ノズル側水路５５へ流れる。ノズル側水路５５は、第２分岐部５２と、導水路７０と、第２捨水路８２と、を含む。導水路７０及び第２捨水路８２は、それぞれ、第２分岐部５２の下流側に設けられ、第２分岐部５２から分岐している。
【００４１】
第２捨水路８２は、温水をケースプレート４０１側へ導き、矢印Ａ６のように、ケースプレート４０１の前方に設けられた開口から外部（例えばボウル８０１）へ捨てる。導水路７０は、ノズル部４７０（ノズル４７３）へ温水を導く。
【００４２】
ノズル部４７０は、流量切替弁４７１と流路切替弁４７２とノズル４７３とを有する。流量切替弁４７１及び流路切替弁４７２によって、ノズル４７３における水勢の調節や、水を吐出する吐水口４７４の切替などが可能である。  
以上により、適度な温度の温水（混合水）をノズル４７３から噴射することができる。
【００４３】
第２分岐部５２よりも下流側の導水路７０上には、オートクリーンユニット６０及び負圧破壊装置１５４が設けられている。オートクリーンユニット６０は、温水から機能水を生成する機能水生成部６１を含む。機能水は、例えば、除菌機能を有する除菌水である。例えば、機能水生成部６１は、電解槽を含み、電解槽の内部を流れる水道水（温水）を電気分解することにより、次亜塩素酸を含む機能水を生成する。オートクリーンユニット６０は、衛生洗浄装置１００の使用後に、ノズル部４７０に機能水を供給する。これにより、ノズル４７３の外周表面（胴体）などを除菌することができる。
【００４４】
なお、「機能水」とは、次亜塩素酸などの除菌成分を水道水よりも多く含む溶液をいう。また、機能水生成部６１において生成される機能水は、銀イオンや銅イオンなどの金属イオンを含む溶液、電解塩素やオゾンなどを含む溶液であってもよい。機能水は、酸性水やアルカリ水であってもよい。実施形態において、殺菌水生成部は、電解槽に限定されるわけではない。例えば、除菌水は、除菌剤または除菌液を水に溶解させることによって生成されてもよい。
【００４５】
図４は、実施形態に係る衛生洗浄装置の機能水生成部に用いられる電解槽を例示する図である。  
図４に表したように電解槽４５０は、陽極板４５１及び陰極板４５２を有する。電解槽４５０が通電され、陽極板４５１と陰極板４５２との間に電圧が印加されることにより、電解槽４５０の内部を流れる水道水（混合水）を電気分解することができる。ここで、水道水は、塩素イオンを含んでいる。この塩素イオンは、水源（例えば、地下水や、ダムの水や、河川などの水）に食塩（ＮａＣｌ）や塩化カルシウム（ＣａＣｌ２）として含まれている。そのため、その塩素イオンを電気分解することにより次亜塩素酸が生成される。その結果、電解槽４５０において電気分解された水は、次亜塩素酸を含む液に変化する。次亜塩素酸は、除菌成分として機能し、その次亜塩素酸を含む溶液すなわち除菌水は、アンモニアなどによる汚れを効率的に除去または分解することができる。
【００４６】
図５は、実施形態に係る衛生洗浄装置のミキシングバルブを例示する断面図である。  
この例では、ミキシングバルブ３０は、バネ３２と、ワックスエレメント３３と、バネ３４と、を有する。ワックスエレメント３３は、バネ３２及びバネ３４による付勢力を受ける。
【００４７】
ミキシングバルブ３０には、矢印Ａ１のように水側バルブユニット１５から水が流入し、矢印Ａ２のように湯側バルブユニット２５から湯が流入する。湯と水とは、ミキシングバルブ３０内において混合される。混合された混合水（温水）は、矢印Ａ３のように下流側に供給される。ここで、ワックスエレメント３３中のワックスの体積は、温水の温度に応じて変化する。例えば、温水の温度が上昇すると、ワックスの体積が膨張する。すると、ワックスエレメント３３の長さ（ピストンの位置）が変化し、湯の流入口の開度及び水の流入口の開度が変化する。これにより、ミキシングバルブ３０に流入する湯の流量及び水の流量が変化する。従って、温水の温度が変化する。このようにして、温水の温度が所定の温度（設定温度）になるまで、湯の流量及び水の流量が自動で調整される。設定温度は、ワックスエレメント３３の熱応答特性やバネの弾性力等を調整することによって定められる。
【００４８】
ミキシングバルブ３０に供給される湯の圧力（給湯圧）およびミキシングバルブ３０に供給される水の圧力（給水圧）によっても、ミキシングバルブ３０の湯及び水の流入口の開度は、変化する。すなわち、湯の流量及び水の流量が変化する。このため、給湯圧及び給水圧の少なくともいずれかが、設定温度を定めたときに想定した圧力と異なると、湯の流量及び水の流量が想定した流量からずれる。その結果、温水の温度が設定温度からずれてしまうことがある。
【００４９】
これに対して、実施形態においては、ミキシングバルブ３０の上流側に水側調圧弁１７及び湯側調圧弁２７が設けられている。このため、ミキシングバルブ３０における給湯圧及び給水圧のそれぞれが、想定した圧力からずれることを抑制することができる。これにより、温水の温度が設定温度からずれることを抑制し、温度安定性を向上させることができる。従って、適度な温度の温水を安定的に供給できる。
【００５０】
例えば、水側調圧弁１７及び湯側調圧弁２７のいずれかに故障などの不具合が生じたときに、ミキシングバルブ３０またはミキシングバルブ３０よりも下流側の部材が高い水圧を受けることが考えられる。例えば、湯側調圧弁２７に不具合が生じたときに、ミキシングバルブ３０の下流側において、高い水圧を受けた部分から湯が外部に流出してしまう場合がある。
【００５１】
これに対して、実施形態においては、ミキシングバルブ３０の下流側に安全弁４２が設けられている。これにより、例えば、湯側調圧弁２７に不具合が生じても、湯が想定外の部分から外部に流出することを防ぐことができる。また、安全弁４２よりも下流側に位置する部材を保護することができる。
【００５２】
例えば、ミキシングバルブ３０よりも上流に安全弁４２を配置する構成も考えられる。しかしながら、この場合には、水側と湯側の２つの安全弁が必要となる。また、第１分岐部５１よりも下流側に安全弁４２を設けると、分岐した流路の数に応じて複数の安全弁が必要になることがある。これに対して、実施形態においては、安全弁４２は、ミキシングバルブ３０よりも下流、かつ、第１分岐部５１よりも上流に設けられている。これにより、安全弁の数を１つとし、部材の数を抑えることができる。
【００５３】
また、図３に関して説明したように、実施形態において電解槽４５０（機能水生成部６１）は、水側調圧弁１７、湯側調圧弁２７、ミキシングバルブ３０及び安全弁４２の下流側に設けられている。これに対して、例えば、電解槽４５０をミキシングバルブ３０よりも上流側に設ける構成も考えられる。しかし、この場合、電解槽４５０によって生成された機能水は、ミキシングバルブにおける湯と水との混合に伴い薄められてしまう。一方、実施形態においては、電解槽４５０で生成された機能水がミキシングバルブ３０において薄められることがなく、機能水を効率良くノズル側へ供給することができる。また、調圧弁１７、２７及びミキシングバルブ３０によって、電解槽４５０における混合水の水圧、流量及び温度などを所定の状態に制御することができるため、機能水の生成（濃度など）の安定性を向上させることができる。
【００５４】
図６（ａ）及び図６（ｂ）は、実施形態に係る衛生洗浄装置の一部を例示する平面図及び断面図である。  
図６（ａ）に表したように、便器８００は、下方に凹む凹状のボウル８０１を有する。ボウル８０１は、図示しない排水管に接続され、排泄物などを排水管に流す。ケースプレート４０１（ケーシング４００）は、便器８００の上に設けられ、便器８００の後方側に位置する。第１捨水路８１、第１分岐部５１、ノズル側水路５５などは、ケースプレート４０１の上に設けられている。
【００５５】
図６（ｂ）は、図６（ａ）に示すＳ１−Ｓ２線における断面図である。第１捨水路８１の下流側の端は、ボウル８０１内の後側に位置する。第１捨水路８１は、その下流側の端部に設けられた排水部材１８０を有する。また、第１捨水路８１は、第１分岐部５１と排水部材１８０とを繋ぐ管状部材１９０を有する。
【００５６】
排水部材１８０は、屈曲した管状の部材である。すなわち、排水部材１８０は、第１方向Ｄ１に延びる第１部分１８１と、第１部分１８１から連続し第２方向Ｄ２に延びる第２部分１８２と、を有する。ケースプレート４０１の前端部には、開口４０１ｅが設けられており、排水部材１８０の第２部分１８２は、この開口４０１ｅに挿入されている。また、第２部分１８２の先端は、開口４０１ｅの一部を形成する前壁部４０１ｆにより隠蔽されている。
【００５７】
排水部材１８０の外周には、例えばフック状の係合部１８０ａが設けられている。係合部１８０ａは、ケースプレート４０１と係合する。これにより、ケースプレート４０１に対する排水部材１８０の位置及び向き（姿勢）が固定される。
【００５８】
第１部分１８１は、後方から前方に向かう下り傾斜を形成する。第２部分１８２は、前方から後方に向かう下り傾斜を形成する。これにより、温水は、便器８００の後方へ向かって、第１捨水路８１からボウル８０１に排出される。
【００５９】
ここで、図６（ｂ）に示すように、ボウル８０１の内部には、封水８０１ｗが設けられている。すなわち、トイレの非使用時において所定量の水（封水）がボウル８０１内に溜められている。これにより、排泄物などが流れる排水管から臭気などが逆流することを防ぐことができる。このとき、温水が第１捨水路８１（排水部材１８０）から封水８０１ｗに向かって落ちると、水が跳ねる。排水の流量や勢いによっては、便器８００の外側まで水が跳ねてしまうことがある。
【００６０】
これに対して、実施形態では、上述の通り、温水は、第１捨水路８１からボウル８０１に排出される際に、便器８００の後方に向かって流れる。これにより、第１捨水路８１から排出された温水がボウル８０１内の封水上に勢い良く落ちることを防ぎ、便器８００の外側まで水が跳ねることを抑制することができる。
【００６１】
図７（ａ）〜図７（ｄ）は、実施形態に係る排水部材を例示する斜視図及び断面図である。  
図７（ａ）は、排水部材１８０を例示する斜視図である。図７（ｂ）は、図７（ａ）に示すＳ３−Ｓ４線における断面図である。図７（ｃ）は、図７（ａ）に示すＳ５−Ｓ６線における断面図である。図７（ｄ）は、図７（ａ）に示すＳ７−Ｓ８線における断面図である。
【００６２】
図７（ｂ）及び図７（ｃ）に表したように、第２部分１８２の上流側には、仕切り部１８２ａが設けられている。この例では、２つの仕切り部１８２ａが設けられており、各仕切り部１８２ａは、第１方向Ｄ１及び第２方向Ｄ２に垂直な方向に延在する板である。この板は、互いに平行に配置されている。このような仕切り部１８２ａにより、温水の流路が、互いに略平行な複数の流路に分割される。図７（ｂ）及び図７（ｄ）に表したように、第２部分１８２の下流側においては、管の内周面に、第２方向Ｄ２に延在するリブ１８２ｂ（凸部）が設けられている。この例では、４つのリブ１８２ｂが設けられている。
【００６３】
仕切り部１８２ａ及びリブ１８２ｂを設けることにより、第２部分１８２は、温水の流れを整える整流区間として機能する。例えば、排水部材１８０のように、管が屈曲していると屈曲した部分において温水の流れる方向が乱れやすい。このため、排水部材１８０から排出される温水の方向が乱れて、温水が便器８００の後方に向かって流れにくくなる場合がある。これに対して、実施形態では、仕切り部１８２ａによって、第２部分１８２の上流側に、第２方向Ｄ２に延在する複数の狭い流路が設けられている。流路が狭いことにより、温水が流れる方向が第２方向Ｄ２に揃えられる。そして、第２部分１８２の下流側のリブ１８２ｂによって、分割された温水が纏められる。
【００６４】
以上により、第２部分１８２（整流区間）は、温水の流れを整えることができる。すなわち、第２部分１８２から排出される温水の流れる方向が、第２方向Ｄ２からずれることを抑制できる。これにより、温水は、ボウル８０１に排出される際に、便器８００の後方へ向かって流れやすくなり、水跳ねをより抑制することができる。例えば、排水部材１８０の径が小さくても、流量を確保しつつ、温水を排出することができる。
【００６５】
なお、整流区間の構成（仕切り部１８２ａやリブ１８２ｂの数、配置及び形状など）は、この例に限られず、適宜変更可能である。例えば、仕切り部１８２ａは、網状であってもよい。
【００６６】
図８は、実施形態に係る衛生洗浄装置の便座を例示する平面図である。  
既に述べたとおり、便座２００は、便座ヒータ２０１を有していてもよい。例えば、図８に示すように、便座ヒータ２０１は、コイル２０２と導電体部２０３とを有する。コイル２０２及び導電体部２０３は、便座２００の内部に設けられる。
【００６７】
例えば、コイル２０２は、便座２００を周回するように設けられる。導電体部２０３は、コイル２０２と着座面との間において、コイル２０２を覆うように設けられる。これにより、誘導加熱の原理によって、便座２００の温度を上昇させることができる。すなわち、コイル２０２に高周波電流を流すことにより、高周波で変化する磁界が発生する。これにより、導電体部２０３を通過する磁界が変化することで渦電流が生じ、導電体部２０３が発熱する。コイル２０２への通電（便座ヒータ２０１の動作）は、制御部４８０によって制御される。
【００６８】
図９は、実施形態に係る衛生洗浄装置を例示する回路図である。  
図９に表したように、便座ヒータ２０１、電磁弁１６０、脱臭ファン４８２、制御部４８０のそれぞれは、電源１７０と電気的に接続されている。
【００６９】
便座ヒータ２０１は、便座２００の温度を検知する便座サーミスタ２０４を有する。便座ヒータ及び便座サーミスタ２０４は、それぞれ、制御部４８０と電気的に接続されている。制御部４８０は、便座ヒータ２０１に供給される電力を制御して、便座２００の温度を調整することができる。例えば、制御部４８０は、便座ヒータ２０１のオン及びオフを切り替える。
【００７０】
脱臭ファン４８２は、制御部４８０と電気的に接続されている。制御部４８０は、脱臭ファン４８２に供給される電力を制御して、脱臭ファン４８２の回転速度を制御することができる。
【００７１】
電磁弁１６０は、図３に関して説明した給水電磁弁１６、給湯電磁弁２６及び電磁弁１５０のいずれかである。図９では、便宜上、１つの電磁弁１６０のみが図示されているが、実施形態においては、複数の電磁弁（給水電磁弁１６、給湯電磁弁２６及び電磁弁１５０）のそれぞれが、電磁弁１６０のように、電源１７０及び制御部４８０に接続される。制御部４８０によって、複数の電磁弁のそれぞれの動作（開閉）が制御される。
【００７２】
図１０は、実施形態に係る衛生洗浄装置の制御部の動作を例示するフローチャートである。図１０は、図９に関して説明した構成における制御部４８０の動作の一例を表している。  
制御部４８０は、便座ヒータ２０１及び脱臭ファン４８２の使用状況の情報を取得し、衛生洗浄装置１００の全体における消費電力を算出することができる（ステップＳ１０１）。
【００７３】
例えば、衛生洗浄装置１００の全体における消費電力が所定の電力（定格電力）よりも高い場合（ステップＳ１０２：ＹＥＳ）、制御部４８０は、便座ヒータ２０１及び脱臭ファン４８２の少なくともいずれかにおける消費電力を低く設定する（ステップＳ１０３）。これにより、衛生洗浄装置１００における消費電力を所定の電力よりも低くする。
【００７４】
複数の電磁弁（給水電磁弁１６、給湯電磁弁２６及び電磁弁１５０）の少なくともいずれかを動作させると、衛生洗浄装置１００における消費電力が所定の電力よりも高くなる場合（ステップＳ１０４：ＹＥＳ）、制御部４８０は、便座ヒータ２０１及び脱臭ファン４８２の少なくともいずれかにおける消費電力を低く設定する。または、制御部４８０は、便座ヒータ２０１及び脱臭ファン４８２の少なくともいずれかをオフとする（ステップＳ１０５）。その後、複数の電磁弁の少なくともいずれかが駆動される（ステップＳ１０６）。電磁弁の駆動が終了すると、制御部４８０は、便座ヒータ２０１及び脱臭ファン４８２における電力をステップＳ１０４における状態に戻す（ステップＳ１０８）。例えば、便座ヒータ２０１又は脱臭ファン４８２を再びオンにする。
【００７５】
このように、制御部４８０は、複数の電磁弁を動作させるときに、便座ヒータ２０１及び脱臭ファン４８２の少なくともいずれかの消費電力を低下させる。これにより、衛生洗浄装置１００における消費電力を所定の電力よりも低くすることができる。  
なお、衛生洗浄装置１００における消費電力が所定の電力よりも高くならない場合（ステップＳ１０４：ＮＯ）は、便座ヒータ２０１及び脱臭ファン４８２の消費電力を変更せずに、電磁弁を駆動してもよい（ステップＳ１０７）。
【００７６】
以上説明したように、制御部４８０は、衛生洗浄装置１００の消費電力が、所定の電力よりも低くなるように、複数の電磁弁、便座ヒータ、及び脱臭ファンの動作を制御する。例えば、所定の電力（ワット：Ｗ）は、複数の電磁弁における最大消費電力と、便座ヒータ２０１における最大消費電力と、脱臭ファン４８２における最大消費電力の和以下である。脱臭ファン４８２が設けられない場合、所定の電力は、例えば、複数の電磁弁における最大消費電力と、便座ヒータ２０１における最大消費電力と、の和以下である。なお、最大消費電力とは、製品（衛生洗浄装置）の規格により定められた適正な使用条件下での消費電力の最大値である。
【００７７】
多数のトイレが設置されるホテルなど設備においては、１つの衛生洗浄装置において使用することができる電力が限られている場合がある。このような場合でも、制御部４８０は、衛生洗浄装置１００の消費電力が低くなるように、複数の電磁弁の動作や便座ヒータの動作などを、制御する。これにより、限られた電力内でも快適に衛生洗浄装置１００の機能を使用することができる。
【００７８】
図１１は、実施形態に係る別の衛生洗浄装置の水路を例示するブロック図である。  
図１１に表した衛生洗浄装置１００ａは、前述の衛生洗浄装置１００と比較して、ミキシングバルブ３０の代わりに熱交換器ユニット１３０が設けられている。熱交換器ユニット１３０は、水側バルブユニット１５と第１分岐部５１との間に設けられている。熱交換器ユニット１３０は、温水ヒータ１３１を有する。温水ヒータ１３１は、供給された水を加熱する。衛生洗浄装置１００ａは、給湯管９２、給湯接続部２０及び湯側バルブユニット２５を有さない。上記以外について、衛生洗浄装置１００ａの構成は、衛生洗浄装置１００の構成と同様であるため、詳細な説明は省略する。
【００７９】
図１２は、実施形態に係る別の衛生洗浄装置を例示する回路図である。  
図１２に表したように、衛生洗浄装置１００ａにおいては、温水ヒータ１３１は、電源１７０及び制御部４８０のそれぞれと電気的に接続されている。温水ヒータ１３１には、加熱された水の温度を検知する温水サーミスタ１３２が設けられている。制御部４８０は、温水ヒータ１３１に供給される電力を制御して、供給された水の温度を調整することができる。例えば、制御部４８０は、温水ヒータ１３１のオン及びオフを切り替える。上記以外については、図９に関する説明と同様である。
【００８０】
図１３は、実施形態に係る別の衛生洗浄装置の制御部の動作を例示するフローチャートである。図１３は、図１２に関して説明した構成における制御部４８０の動作の一例を表している。  
使用者が操作部５００を操作して、局部洗浄が開始されると、制御部４８０は、便座ヒータ２０１、温水ヒータ１３１及び脱臭ファン４８２のそれぞれの使用状況から、衛生洗浄装置１００ａの消費電力を算出する（ステップＳ２０１）。
【００８１】
例えば、衛生洗浄装置１００ａにおける消費電力が所定の電力（定格電力）よりも高い場合（ステップＳ２０２：ＹＥＳ）、制御部４８０は、温水サーミスタ１３２によって検知された温度、および便座サーミスタ２０４によって検知された温度を読み込む（ステップＳ２０３）。
【００８２】
制御部４８０は、便座２００の設定温度から、便座サーミスタ２０４によって検知された温度を引いた値（差分ΔＴ１）を算出する。また、制御部４８０は、水の設定温度から、温水サーミスタ１３２によって検知された温度を引いた値（差分ΔＴ２）を算出する（ステップＳ２０４）。なお、便座２００及び水のそれぞれの設定温度は、使用者が操作部５００等を操作することにより、適宜設定することができる。
【００８３】
差分ΔＴ１が差分ΔＴ２よりも大きい場合（ステップＳ２０５：ＹＥＳ）、制御部４８０は、温水ヒータ１３１をオフにする、または、パターン制御によって温水ヒータ１３１における消費電力を低く設定する（ステップＳ２０６）。
【００８４】
差分ΔＴ１が差分ΔＴ２以下の場合（ステップＳ２０５：ＮＯ）、制御部４８０は、便座ヒータ２０１をオフにする、または、パターン制御によって便座ヒータ２０１における消費電力を低く設定する（ステップＳ２０７）。
【００８５】
ステップＳ２０６又はＳ２０７の後に、衛生洗浄装置１００ａにおける消費電力が、所定の電力よりも高い場合（ステップＳ２０８：ＹＥＳ）、制御部４８０は、脱臭ファン４８２をオフにする、または、脱臭ファン４８２消費電力を低く設定してファンの回転速度を低速化する（ステップＳ２０９）。
【００８６】
以上説明したように、例えば、制御部４８０は、脱臭ファン４８２、便座ヒータ２０１、温水ヒータ１３１及び複数の電磁弁を所定の電力以下で制御する。これにより、限られた電力内でも快適に衛生洗浄装置１００ａの機能を使用することができる。
【００８７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ミキシングバルブ、ノズル、調圧弁、安全弁、流路などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
１０ 給水接続部、  １１ ストレーナ、  １２ 逆止弁、  １３ 止水弁、  １４ 水側配管部、  １５ 水側バルブユニット、  １６ 給水電磁弁、  １７ 水側調圧弁、  ２０ 給湯接続部、  ２１ ストレーナ、  ２２ 逆止弁、  ２３ 止水栓、  ２４ 湯側配管部、  ２５ 湯側バルブユニット、  ２６ 給湯電磁弁、  ２７ 湯側調圧弁、  ３０ ミキシングバルブ、  ３２ バネ、  ３３ ワックスエレメント、  ３４ バネ、  ４０ 安全弁部、  ４１ サーミスタ、  ４２ 安全弁、  ５０ 切替部、  ５１ 第１分岐部、  ５２ 第２分岐部、  ５５ ノズル側水路、  ６０ オートクリーンユニット、  ６１ 機能水生成部、  ７０ 導水路、  ８１ 第１捨水路、  ８２ 第２捨水路、  ９１ 給水管、  ９２ 給湯管、  １００、１００ａ 衛生洗浄装置、  １１０ 流路、  １３０ 熱交換器ユニット、  １３１ 温水ヒータ、  １３２ 温水サーミスタ、  １５０ 電磁弁、  １５３、１５４ 負圧破壊装置、  １６０ 電磁弁、  １７０ 電源、  １８０ 排水部材、  １８０ａ 係合部、  １８１ 第１部分、  １８２ 第２部分、  １８２ａ 仕切り部、  １８２ｂ リブ、  １９０ 管状部材、  ２００ 便座、  ２０１ 便座ヒータ、  ２０２ コイル、  ２０３ 導電体部、  ２０４ 便座サーミスタ、  ３００ 便蓋、  ４００ ケーシング、  ４０１ ケースプレート、  ４０１ｅ 開口、  ４０１ｆ 前壁部、  ４０２ 入室検知センサ、  ４０３ 人体検知センサ、  ４０４ 着座検知センサ、  ４５０ 電解槽、  ４５１ 陽極板、  ４５２ 陰極板、  ４７０ ノズル部、  ４７１ 流量切替弁、  ４７２ 流路切替弁、  ４７３ ノズル、  ４７４ 吐水口、  ４８０ 制御部、  ４８１ 脱臭ユニット、  ４８２ 脱臭ファン、  ５００ 操作部、  ８００ 便器、  ８０１ ボウル、  ８０１ｗ 封水
【図１】
0006714816.tif 000002
【図２】
0006714816.tif 000003
【図３】
0006714816.tif 000004
【図４】
0006714816.tif 000005
【図５】
0006714816.tif 000006
【図６】
0006714816.tif 000007
【図７】
0006714816.tif 000008
【図８】
0006714816.tif 000009
【図９】
0006714816.tif 000010
【図１０】
0006714816.tif 000011
【図１１】
0006714816.tif 000012
【図１２】
0006714816.tif 000013
【図１３】
0006714816.tif 000014